(57)【要約】  本技術は、より操作性を向上させることができるようにする表示制御装置、表示制御方法、及びプログラムに関する。表示画面における第１の領域に、フィルタに関するフィルタ情報と、コンテンツに関する第１の情報を表示し、ユーザにより第１の操作が行われた場合、表示画面における第１の領域よりも大きい第２の領域に、フィルタ情報と、コンテンツに関する第２の情報を表示する制御を行う表示制御部を備える表示制御装置が提供される。本技術は、例えば、テレビ受像機に適用することができる。
2020090514.tif 000002
【特許請求の範囲】
【請求項１】
表示画面における第１の領域に、フィルタに関するフィルタ情報と、コンテンツに関する第１の情報を表示し、
ユーザにより第１の操作が行われた場合、前記表示画面における前記第１の領域よりも大きい第２の領域に、前記フィルタ情報と、コンテンツに関する第２の情報を表示する
制御を行う表示制御部を備える
表示制御装置。
【請求項２】
前記第１の情報は、前記フィルタに応じたコンテンツに関する情報を含み、
前記第２の情報は、前記フィルタに応じたコンテンツに関する情報を含む
請求項１に記載の表示制御装置。
【請求項３】
前記表示制御部は、
前記第１の領域における上側の領域に前記第１の情報を表示するとともに下側の領域に前記フィルタ情報を表示し、
前記第１の操作として下方向に応じた操作が行われた場合、前記第１の領域に表示される前記フィルタ情報と前記第１の情報から、前記第２の領域に表示される前記フィルタ情報と前記第２の情報に、表示を切り替える
請求項１に記載の表示制御装置。
【請求項４】
前記表示制御部は、前記表示画面に表示されるコンテンツの映像の一部に対応した前記第１の領域に、前記フィルタ情報と前記第１の情報を重畳して表示する
請求項３に記載の表示制御装置。
【請求項５】
前記表示制御部は、前記第２の領域に、前記フィルタ情報と前記第２の情報とともに、コンテンツの映像を縮小した縮小映像を表示する
請求項３に記載の表示制御装置。
【請求項６】
前記第２の情報は、前記第１の情報と比べて、情報粒度が荒い情報である
請求項３に記載の表示制御装置。
【請求項７】
前記第２の情報は、前記第１の情報と比べて、一覧性の高い情報である
請求項６に記載の表示制御装置。
【請求項８】
前記表示制御部は、
前記第２の領域における上側の領域に前記フィルタ情報を表示するとともに下側の領域に前記第２の情報を表示し、
前記ユーザにより前記第１の操作と異なる第２の操作として上方向に応じた操作が行われた場合、前記第２の領域に表示される前記フィルタ情報と前記第２の情報から、前記第１の領域に表示される前記フィルタ情報と前記第１の情報に、表示を切り替える
請求項３に記載の表示制御装置。
【請求項９】
前記表示制御部は、前記ユーザにより前記第１の操作と異なる第２の操作が行われた場合、前記第１の領域及び前記第２の領域と異なる第３の領域に、前記第１の情報に応じたコンテンツに関する第３の情報を表示する
請求項１に記載の表示制御装置。
【請求項１０】
前記表示制御部は、前記第２の操作として上方向に応じた操作が行われた場合、前記第１の領域に表示される前記第１の情報の少なくとも一部に、前記第３の領域に表示される前記第３の情報を重畳して表示する
請求項９に記載の表示制御装置。
【請求項１１】
前記第３の情報は、前記第１の情報及び前記第２の情報と比べて、情報粒度が細かい情報である
請求項１０に記載の表示制御装置。
【請求項１２】
前記第３の情報は、前記第１の情報及び前記第２の情報と比べて、一覧性の低い情報である
請求項１１に記載の表示制御装置。
【請求項１３】
前記表示制御部は、前記第１の操作として下方向に応じた操作が行われた場合、前記第３の領域に表示される前記第３の情報から、前記第１の領域に表示される前記フィルタ情報と前記第１の情報に、表示を切り替える
請求項１０に記載の表示制御装置。
【請求項１４】
前記第１の領域は、前記表示画面の全領域の略半分程度の下側の領域であり、
前記第２の領域は、前記表示画面の全領域に対応する領域であり、
前記表示制御部は、前記第１の領域に表示される前記フィルタ情報と前記第２の領域に表示される前記フィルタ情報とを、前記第１の領域に表示される前記第１の情報と前記第２の領域に表示される前記第２の情報とが関連性を有することを示す位置に表示する
請求項１に記載の表示制御装置。
【請求項１５】
前記第１の情報は、複数の前記フィルタの中から選択された選択フィルタに応じたコンテンツに関する情報を含み、
前記第２の情報は、前記選択フィルタに応じたコンテンツに関する情報を含む
請求項１に記載の表示制御装置。
【請求項１６】
前記第３の情報は、前記第１の情報に応じた複数のコンテンツの中から選択された選択コンテンツに関する情報を含む
請求項９に記載の表示制御装置。
【請求項１７】
前記第１の操作及び前記第２の操作は、リモートコントローラに設けられた十字ボタンに対する操作である
請求項８に記載の表示制御装置。
【請求項１８】
前記コンテンツは、放送コンテンツを含み、
前記表示画面を有する表示部をさらに備えるテレビ受像機として構成される
請求項１に記載の表示制御装置。
【請求項１９】
表示制御装置が、
表示画面における第１の領域に、フィルタに関するフィルタ情報と、コンテンツに関する第１の情報を表示し、
ユーザにより第１の操作が行われた場合、前記表示画面における前記第１の領域よりも大きい第２の領域に、前記フィルタ情報と、コンテンツに関する第２の情報を表示する
表示制御方法。
【請求項２０】
コンピュータを、
表示画面における第１の領域に、フィルタに関するフィルタ情報と、コンテンツに関する第１の情報を表示し、
ユーザにより第１の操作が行われた場合、前記表示画面における前記第１の領域よりも大きい第２の領域に、前記フィルタ情報と、コンテンツに関する第２の情報を表示する
制御を行う表示制御部として機能させるためのプログラム。
【発明の詳細な説明】
【技術分野】
【０００１】
本技術は、表示制御装置、表示制御方法、及びプログラムに関し、特に、より操作性を向上させることができるようにした表示制御装置、表示制御方法、及びプログラムに関する。
【背景技術】
【０００２】
近年、テレビ受像機等の表示制御装置では、高性能化に伴い、様々な機能を提供することが可能である（例えば特許文献１参照）。
【先行技術文献】
【特許文献】
【０００３】
【特許文献１】特開２０１５−１２５６１７号公報
【発明の概要】
【発明が解決しようとする課題】
【０００４】
ところで、テレビ受像機等の表示制御装置では、様々な機能を提供するに際して各種の画面を表示することになるが、その操作性を向上させることが求められる。【０００５】
本技術はこのような状況に鑑みてなされたものであり、より操作性を向上させることができるようにするものである。
【課題を解決するための手段】
【０００６】
本技術の一側面の表示制御装置は、表示画面における第１の領域に、フィルタに関するフィルタ情報と、前記コンテンツに関する第１の情報を表示し、ユーザにより第１の操作が行われた場合、前記表示画面における前記第１の領域よりも大きい第２の領域に、前記フィルタ情報と、前記コンテンツに関する第２の情報を表示する制御を行う表示制御部を備える表示制御装置である。【０００７】
本技術の一側面の表示制御方法、及びプログラムは、上述した本技術の一側面の表示制御装置に対応する表示制御方法、及びプログラムである。【０００８】
本技術の一側面の表示制御装置、表示制御方法、及びプログラムにおいては、表示画面における第１の領域に、フィルタに関するフィルタ情報と、前記コンテンツに関する第１の情報が表示され、ユーザにより第１の操作が行われた場合、前記表示画面における前記第１の領域よりも大きい第２の領域に、前記フィルタ情報と、前記コンテンツに関する第２の情報が表示される。【０００９】
なお、本技術の一側面の表示制御装置は、独立した装置であってもよいし、１つの装置を構成している内部ブロックであってもよい。例えば、本技術の一側面の表示制御装置は、テレビ受像機等の表示制御装置を構成している表示制御部とすることができる。
【図面の簡単な説明】
【００１０】
【図１】本技術を適用した表示制御装置の一実施の形態の構成の例を示すブロック図である。
【図２】図１のリモートコントローラの外観の例を示す図である。
【図３】テレビ視聴の場合におけるシームレスUIの例を示す図である。
【図４】図３の画面ごとの情報粒度と一覧性の関係を示す図である。
【図５】表示制御処理の流れを説明するフローチャートである。
【図６】現在番組表重畳画面の表示例を示す図である。
【図７】番組表画面の表示例を示す図である。
【図８】番組表画面の表示例を示す図である。
【図９】番組詳細情報重畳画面の表示例を示す図である。
【図１０】録画・記録コンテンツ再生視聴の場合におけるシームレスUIの例を示す図である。
【図１１】図１０の画面ごとの情報粒度と一覧性の関係を示す図である。
【図１２】コンテンツ一覧画面の表示例を示す図である。
【図１３】シームレスUIの俯瞰イメージを示す図である。
【図１４】本技術を適用した表示システムの一実施の形態の構成の例を示すブロック図である。
【図１５】コンピュータの構成例を示す図である。
【発明を実施するための形態】
【００１１】
以下、図面を参照しながら本技術の実施の形態について説明する。なお、説明は以下の順序で行うものとする。
【００１２】
１．第１の実施の形態
２．第２の実施の形態
３．変形例
４．コンピュータの構成
【００１３】
＜１．第１の実施の形態＞
【００１４】
（表示制御装置の構成）
図１は、本技術を適用した表示制御装置の一実施の形態の構成の例を示すブロック図である。
【００１５】
図１において、表示制御装置１０は、例えば液晶表示装置やOLED(Organic Light Emitting Diode)表示装置等として構成されるテレビ受像機である。表示制御装置１０は、信号入力部１０１、信号処理部１０２、表示制御部１０３、操作受付部１０４、画面生成部１０５、及び表示部１０６を含んで構成される。
【００１６】
信号入力部１０１は、例えばチューナ等から構成される。信号入力部１０１は、チューナとして構成される場合、アンテナ（不図示）を介して受信した放送信号に対して復調処理等の処理を行い、その結果得られる信号を、信号処理部１０２に供給する。ここでの放送信号は、例えば地上波放送や衛星放送、ケーブルテレビ放送などの所定の放送方式に従って送信される放送コンテンツ（例えばテレビ番組）を伝送する。
【００１７】
なお、信号入力部１０１は、チューナに限らず、例えば通信モジュールとして構成されるようにして、インターネット等の通信網を介してコンテンツ配信サイトから配信される通信コンテンツ（ネットコンテンツ）の信号が信号処理部１０２に入力されてもよい。
【００１８】
また、信号入力部１０１としては、例えば、HDMI（登録商標）(High Definition Multimedia Interface)や、USB(Universal Serial Bus)等の所定の規格に準拠したインターフェースとして構成されるようにして、録画機やネットワークストレージにより録画された録画コンテンツや、半導体メモリや光ディスク等の記録媒体に記録された記録コンテンツの信号が、信号処理部１０２に入力されるようにしてもよい。なお、録画コンテンツは、テレビ受像機により録画され、ストレージに記録されていたものでもよい。
【００１９】
信号処理部１０２は、例えばシステムオンチップ等から構成される。信号処理部１０２は、信号入力部１０１から供給される信号に対してデコード等の処理を行い、その結果得られる映像信号を、表示制御部１０３に供給する。
【００２０】
表示制御部１０３は、例えばマイクロコンピュータやCPU(Central Processing Unit)等から構成される。表示制御部１０３は、信号処理部１０２から供給される映像信号に基づいて、表示部１０６の駆動を制御するための映像信号を生成する。表示制御部１０３は、生成した映像信号に基づいて、表示部１０６を駆動する。
【００２１】
表示部１０６は、例えば液晶表示部やOLED表示部等から構成される。表示部１０６は、表示制御部１０３からの制御に従い、テレビ番組等の放送コンテンツの映像や、各種の画面の映像を表示する。
【００２２】
例えば、表示制御装置１０が液晶表示装置である場合、液晶表示部としての表示部１０６は、液晶素子及びTFT(Thin Film Transistor)素子を含む画素を２次元状に配置した表示パネルであり、表示制御部１０３からの駆動に従い、バックライト（不図示）から射出された光を変調することにより表示を行う。また、例えば、表示制御装置１０がOLED表示装置である場合、OLED表示部としての表示部１０６は、自発光素子を含む画素を２次元状に配置した表示パネルであり、表示制御部１０３からの駆動に従って表示を行う。
【００２３】
操作受付部１０４は、例えば近距離無線通信モジュールや赤外線受光モジュール等から構成される。操作受付部１０４は、リモートコントローラ２０から送信される無線信号や赤外線信号等の信号を受信（受光）し、受信した信号に応じたコマンドを、画面生成部１０５等の各部に供給する。なお、近距離無線通信としては、例えば、Bluetooth（登録商標）規格に準拠した通信を行うことができる。
【００２４】
画面生成部１０５は、操作受付部１０４から供給されるコマンドに基づいて、各種の画面を生成し、その画面信号を、表示制御部１０３に供給する。表示制御部１０３は、画面生成部１０５から供給される画面信号に基づいて、表示部１０６を駆動する。
【００２５】
なお、図１の表示制御装置１０においては、説明の簡略化のため、映像信号の系列のみを図示しているが、実際には、音声信号の系列が含められ、放送コンテンツの映像に同期した音声が出力される。また、図１では、説明の簡略化のため、操作受付部１０４からのコマンドが画面生成部１０５にのみ供給される場合を示しているが、実際には、操作受付部１０４からのコマンドに従い、表示制御装置１０の各部が動作する。
【００２６】
（リモートコントローラの構成）
図２は、図１のリモートコントローラ２０の外観の例を示している。
【００２７】
リモートコントローラ２０には、例えば電源ボタンや入力切換ボタン等を含むボタン群２０１と、カーソル（ポインタ）等を画面上で上下左右に動かす十字ボタン２０２とが、物理的なボタンとして設けられる。ボタン群２０１としては、例えば、後述する現在番組表キーや番組表キー、詳細情報キー等の各種のボタンを含めることができる。
【００２８】
十字ボタン２０２は、カーソル等を上方向に動かす上キー２１１と、カーソル等を下方向に動かす下キー２１２と、カーソル等を左方向に動かす左キー２１３と、カーソル等を右方向に動かす右キー２１４を含む。また、十字ボタン２０２は、その中心部に、選択したい箇所で押される決定ボタン２１５をさらに含む。
【００２９】
リモートコントローラ２０にはまた、「１」乃至「１２」の表記ボタンからなるチャネル選択ボタン群２０３と、音量をアップ方向又はダウン方向へ任意に調整させる音量調整ボタン２０４と、チャンネルをアップ方向又はダウン方向へ任意に選局させるチャンネル選局ボタン２０５が設けられる。
【００３０】
なお、図２に示したリモートコントローラ２０の外観は一例であって、他のボタンが設けられてもよい。また、上述した説明では、現在番組表キーや番組表キー、詳細情報キーが、ボタン群２０１に割り当てられるとして説明したが、現在番組表キー等は、十字ボタン２０２等の他のボタンに割り当てられてもよい。
【００３１】
以上のように構成される表示制御装置１０においては、様々な機能を提供可能であるが、例えば、テレビ番組の視聴中に映像の一部に重畳して表示される現在番組表と、全画面で表示される番組表とを切り替える際に、シームレスに遷移させる機能を提供することができる。以下、本技術を適用した表示制御装置１０により提供されるシームレスな画面遷移（以下、シームレスUI（User Interface）ともいう）の機能について説明する。
【００３２】
（シームレスUIの例）
図３は、テレビ番組の視聴時におけるシームレスUIの例を示している。
【００３３】
図３は、表示制御装置１０において、表示部１０６の表示画面に、テレビ視聴画面１４１Ａ、現在番組表重畳画面１４１Ｂ、番組表画面１４１Ｃ、又は番組詳細情報重畳画面１４１Ｄが表示されている場合に、ユーザによってリモートコントローラ２０の操作として、操作ＯＰ１１乃至操作ＯＰ１７がそれぞれ行われたときの画面の遷移と表示内容の例を示している。
【００３４】
ここでは、テレビ番組映像１５１を表示するテレビ視聴画面１４１Ａの表示時に、操作ＯＰ１１として、例えば、リモートコントローラ２０を把持したユーザによって、ボタン群２０１や十字ボタン２０２等のボタンに割り当てられた現在番組表キーが操作された場合、現在番組表重畳画面１４１Ｂが表示される。
【００３５】
この現在番組表重畳画面１４１Ｂでは、表示部１０６の表示画面の全体に表示されたテレビ番組映像１５１の下側の領域（半画面）に対し、現在番組表１６１とフィルタ欄１６２が重畳して表示される。
【００３６】
現在番組表１６１は、テレビ視聴時における他のチャンネルの番組（裏番組）に関する情報を含む領域である。現在番組表１６１に表示された各番組に関する情報（図中の四角）は、例えば、リモートコントローラ２０に設けられた十字ボタン２０２の左キー２１３又は右キー２１４を操作することで、選択することができる。
【００３７】
フィルタ欄１６２は、例えば、お気に入りやドラマ、映画などのフィルタに関する情報（フィルタ情報）を含む領域である。このフィルタを利用することで、所望のコンテンツを絞り込むことができる。
【００３８】
ここで、現在番組表重畳画面１４１Ｂの表示時において、操作ＯＰ１４として、例えば、ユーザによって、リモートコントローラ２０に設けられた十字ボタン２０２の下キー２１２が操作された場合、番組表画面１４１Ｃが表示される。ただし、ここでの「下キー２１２が操作された場合」とは、例えば、現在番組表重畳画面１４１Ｂにおいてカーソルがフィルタ欄１６２にあるときなど、表示画面上の下方向に選択する対象が存在しないことを意味している。
【００３９】
この番組表画面１４１Ｃでは、表示部１０６の表示画面の全体（全画面）に番組表１７１が表示され、その上側の領域にフィルタ欄１６２が表示される。また、番組表画面１４１Ｃでは、右上の領域に、テレビ番組映像１５１が子画面で表示される。すなわち、現在番組表重畳画面１４１Ｂにおける現在番組表１６１とフィルタ欄１６２が表示される領域（第１の領域）と、番組表画面１４１Ｃにおける番組表１７１とフィルタ欄１６２が表示される領域（第２の領域）とを比べれば、第２の領域は、第１の領域よりも大きい領域であると言える。
【００４０】
番組表１７１は、テレビ番組の放送予定を、チャンネル（放送局）と放送時間によって表形式でまとめた情報を含む領域である。番組表１７１に表示された各番組に関する情報（図中の四角）は、例えば、リモートコントローラ２０に設けられた十字ボタン２０２の４方向の各キーを操作することで、選択することができる。フィルタ欄１６２は、お気に入り等のフィルタに関する情報を含む領域である。
【００４１】
すなわち、番組表画面１４１Ｃのフィルタ欄１６２は、現在番組表重畳画面１４１Ｂのフィルタ欄１６２と対応して設けられる。これらのフィルタ欄１６２は、現在番組表１６１と番組表１７１とが関連性を有することを表す位置に配置される。また、番組表画面１４１Ｃにおいて、子画面表示されるテレビ番組映像１５１は、現在番組表重畳画面１４１Ｂで全画面表示されるテレビ番組映像１５１を縮小した縮小映像であって、同一のテレビ番組とされる。
【００４２】
ここで、番組表画面１４１Ｃの表示時において、操作ＯＰ１５として、例えば、ユーザによって、リモートコントローラ２０に設けられた十字ボタン２０２の上キー２１１が操作された場合、現在番組表重畳画面１４１Ｂが表示される。ただし、ここでの「上キー２１１が操作された場合」とは、例えば、番組表画面１４１Ｃにおいてカーソルがフィルタ欄１６２にあるときなど、表示画面上の上方向に選択する対象が存在しないことを意味している。
【００４３】
このように、現在番組表重畳画面１４１Ｂの表示時において、下キー２１２が操作された場合（操作ＯＰ１４）、現在番組表重畳画面１４１Ｂから番組表画面１４１Ｃに遷移する。それに対し、番組表画面１４１Ｃの表示時において、上キー２１１が操作された場合（操作ＯＰ１５）、番組表画面１４１Ｃから現在番組表重畳画面１４１Ｂに遷移する。すなわち、リモートコントローラ２０において十字ボタン２０２の上キー２１１と下キー２１２を操作することで、現在番組表重畳画面１４１Ｂと番組表画面１４１Ｃとを行き来できる。
【００４４】
また、現在番組表重畳画面１４１Ｂから番組表画面１４１Ｃに遷移する際に、フィルタ欄１６２が画面内で上方に移動しつつ、番組表１７１も下方から上方に現れるようにしてもよい。また、その逆に、番組表画面１４１Ｃから現在番組表重畳画面１４１Ｂに遷移する際に、フィルタ欄１６２が画面内で下方に移動しつつ、番組表１７１も下方に消えていくようにしてもよい。このように遷移することで、シームレスな移動をユーザが感じることができる。
【００４５】
ここで、現在番組表重畳画面１４１Ｂでは、現在番組表１６１よりも下側にフィルタ欄１６２を設け、番組表画面１４１Ｃでは、番組表１７１よりも上側にフィルタ欄１６２を設けている。このような配置にすることで、フィルタ欄１６２を、現在番組表重畳画面１４１Ｂと番組表画面１４１Ｃの両画面で上側に設ける場合と比べて、ユーザは、上キー２１１と下キー２１２を使った操作において、現在番組表重畳画面１４１Ｂと番組表画面１４１Ｃとの間で、よりシームレスな遷移を感じることができる。
【００４６】
なお、テレビ視聴画面１４１Ａの表示時に、操作ＯＰ１２として、例えば、ユーザによって、リモートコントローラ２０のボタン群２０１等に割り当てられた番組表キーが操作された場合、番組表画面１４１Ｃが直接表示される。
【００４７】
一方で、現在番組表重畳画面１４１Ｂの表示時に、操作ＯＰ１６として、例えば、ユーザによって、リモートコントローラ２０の上キー２１１が操作された場合、番組詳細情報重畳画面１４１Ｄが表示される。ただし、ここでの「上キー２１１が操作された場合」とは、例えば、現在番組表重畳画面１４１Ｂにおいてカーソルが現在番組表１６１にあるときなど、表示画面上の上方向に選択する対象が存在しないことを意味している。
【００４８】
この番組詳細情報重畳画面１４１Ｄでは、表示部１０６の表示画面上のテレビ番組映像１５１に重畳表示された現在番組表１６１に対し、番組詳細情報１８１が重畳して表示される。
【００４９】
番組詳細情報１８１は、現在番組表重畳画面１４１Ｂの現在番組表１６１の中から選択された番組に関する詳細情報である。
【００５０】
ここで、番組詳細情報重畳画面１４１Ｄの表示時において、操作ＯＰ１７として、例えば、ユーザによって、リモートコントローラ２０の下キー２１２が操作された場合、現在番組表重畳画面１４１Ｂが表示される。
【００５１】
このように、現在番組表重畳画面１４１Ｂの表示時において、上キー２１１が操作された場合（操作ＯＰ１６）、現在番組表重畳画面１４１Ｂから番組詳細情報重畳画面１４１Ｄに遷移する。それに対し、番組詳細情報重畳画面１４１Ｄの表示時において、下キー２１２が操作された場合（操作ＯＰ１７）、番組詳細情報重畳画面１４１Ｄから現在番組表重畳画面１４１Ｂに遷移する。
【００５２】
すなわち、リモートコントローラ２０において、十字ボタン２０２の上キー２１１と下キー２１２を操作することで、上述した現在番組表重畳画面１４１Ｂと番組表画面１４１Ｃとの行き来に加えて、現在番組表重畳画面１４１Ｂと番組詳細情報重畳画面１４１Ｄとを行き来できる。
【００５３】
なお、テレビ視聴画面１４１Ａを表示時に、操作ＯＰ１３として、例えば、ユーザによって、リモートコントローラ２０のボタン群２０１等に割り当てられた詳細情報キーが操作された場合、番組詳細情報重畳画面１４１Ｄが直接表示される。
【００５４】
ここで、現在番組表重畳画面１４１Ｂにおける現在番組表１６１と、番組表画面１４１Ｃにおける番組表１７１と、番組詳細情報重畳画面１４１Ｄにおける番組詳細情報１８１のそれぞれの情報粒度と一覧性をまとめると、例えば、図４に示すようになる。
【００５５】
すなわち、図４において、情報の粒度としては、最も細かいのが番組詳細情報１８１に含まれる情報（詳細情報）であり、その次に細かいのが現在番組表１６１に含まれる情報（やや細かい情報）であり、最も荒いのが番組表１７１に含まれる情報（荒い情報）である。また、一覧性としては、最も高いのが番組表１７１に含まれる情報（全画面）であり、その次に高いのが現在番組表１６１に含まれる情報（一列）であり、最も低いのが番組詳細情報１８１に含まれる情報（１つ）である。なお、本開示においては、現在番組表１６１、番組表１７１、番組詳細情報１８１に含まれる情報を、第１の情報、第２の情報、第３の情報とそれぞれ表記する。
【００５６】
このように、本技術を適用したシームレスUIでは、ユーザによって、リモートコントローラ２０の十字ボタン２０２の上キー２１１又は下キー２１２が操作され、現在番組表重畳画面１４１Ｂと、番組表画面１４１Ｃ又は番組詳細情報重畳画面１４１Ｄとの間で、シームレスに行き来する際に、画面（UI）の上下の遷移で、画面ごとに情報粒度と一覧性が段階的に連続して変化している。また、本技術を適用したシームレスUIでは、こられの３つの画面の状態をシームレスに見せるために（演出するために）、テレビ番組映像１５１やフィルタ欄１６２を各画面間で共有している。
【００５７】
なお、リモートコントローラ２０に設けられるボタンに対する現在番組表キーや番組表キー、詳細情報キーの割り当てとして、例えば、テレビ番組の視聴中の画面では、下キー２１２を詳細情報キーとして割り当てたり、決定ボタン２１５を現在番組表キーとして割り当てたりすることで、ユーザは、メニュー画面表示後の情報粒度だけでなく、その起動も十字ボタン２０２により操作することができる。
【００５８】
（表示制御処理の流れ）
次に、図５のフローチャートを参照して、表示制御装置１０により実行される表示制御処理の流れを説明する。なお、図５の表示制御処理は、ユーザがテレビ番組を視聴中に、リモートコントローラ２０を操作した場合の処理の流れを示している。
【００５９】
ステップＳ１１においては、操作受付部１０４によって、リモートコントローラ２０からの信号（例えば無線信号や赤外線信号等）が受信され、受信した信号に応じたコマンドに基づき、現在番組表キーが操作されたかが判定される。
【００６０】
ステップＳ１１において、現在番組表キーが操作されたと判定された場合、処理は、ステップＳ１２に進められる。ステップＳ１２において、表示制御部１０３は、画面生成部１０５により生成された現在番組表重畳画面１４１Ｂを、表示部１０６（の表示画面）に表示する。なお、現在番組表重畳画面１４１Ｂの詳細は、図６を参照して後述する。
【００６１】
現在番組表重畳画面１４１Ｂの表示時においては、リモートコントローラ２０の下キー２１２又は上キー２１１が操作されたかが判定される（Ｓ１３，Ｓ１４）。ここで、下キー２１２が操作されたと判定された場合（Ｓ１３の「YES」）、処理は、ステップＳ１８に進められる。一方で、上キー２１１が操作されたと判定された場合（Ｓ１４の「YES」）、処理は、ステップＳ２２に進められる。
【００６２】
また、上キー２１１と下キー２１２のいずれも操作されていないと判定された場合、処理は、ステップＳ１５に進められる。ステップＳ１５においては、上キー２１１と下キー２１２を除いた他のキーが操作されたかが判定される。他のキーが操作されていないと判定された場合（Ｓ１５の「NO」）、いずれのキーも操作されていないため、処理は、ステップＳ１３に戻り、いずれかのキーが操作されるまで、ステップＳ１３乃至Ｓ１５の処理が繰り返される。
【００６３】
そして、他のキーが操作されたと判定された場合（Ｓ１５の「YES」）には、処理は、ステップＳ１６に進められる。ステップＳ１６において、表示制御装置１０は、他のキーに応じた動作を行う。
【００６４】
一方で、ステップＳ１１において、現在番組表キーが操作されていないと判定された場合、処理は、ステップＳ１７に進められる。
【００６５】
ステップＳ１７においては、番組表キーが操作されたかが判定される。ステップＳ１７において、番組表キーが操作されたと判定された場合、処理は、ステップＳ１８に進められる。ステップＳ１８において、表示制御部１０３は、画面生成部１０５により生成された番組表画面１４１Ｃを、表示部１０６（の表示画面）に表示する。なお、番組表画面１４１Ｃの詳細は、図７を参照して後述する。
【００６６】
ここでは、番組表キーが操作された場合（Ｓ１７の「YES」）のほか、現在番組表重畳画面１４１Ｂの表示時において、下キー２１２が操作された場合（Ｓ１３の「YES」）に、現在番組表重畳画面１４１Ｂから番組表画面１４１Ｃに表示が切り替えられる（Ｓ１８）。
【００６７】
番組表画面１４１Ｃの表示時においては、リモートコントローラ２０の上キー２１１が操作されたかが判定される（Ｓ１９）。ここで、上キー２１１が操作されたと判定された場合（Ｓ１９の「YES」）、番組表画面１４１Ｃから現在番組表重畳画面１４１Ｂに表示が切り替えられる（Ｓ１２）。
【００６８】
また、上キー２１１が操作されていないと判定された場合、処理は、ステップＳ２０に進められる。ステップＳ２０においては、上キー２１１を除いた他のキーが操作されたかが判定される。他のキーが操作されていないと判定された場合（Ｓ２０の「NO」）、処理は、ステップＳ１９に戻り、ステップＳ１９乃至Ｓ２０の処理が繰り返される。そして、他のキーが操作されたと判定された場合（Ｓ２０の「YES」）、表示制御装置１０では、他のキーに応じた動作が行われる（Ｓ１６）。
【００６９】
一方で、ステップＳ１７において、番組表キーが操作されていないと判定された場合、処理は、ステップＳ２１に進められる。
【００７０】
ステップＳ２１においては、詳細情報キーが操作されたかが判定される。ステップＳ２１において、詳細情報キーが操作されたと判定された場合、処理は、ステップＳ２２に進められる。ステップＳ２２において、表示制御部１０３は、画面生成部１０５により生成された番組詳細情報重畳画面１４１Ｄを、表示部１０６（の表示画面）に表示する。なお、番組詳細情報重畳画面１４１Ｄの詳細は、図９を参照して後述する。
【００７１】
ここでは、詳細情報キーが操作された場合（Ｓ２１の「YES」）のほか、現在番組表重畳画面１４１Ｂの表示時において、上キー２１１が操作された場合（Ｓ１４の「YES」）に、現在番組表重畳画面１４１Ｂから番組詳細情報重畳画面１４１Ｄに表示が切り替えられる（Ｓ２２）。
【００７２】
番組詳細情報重畳画面１４１Ｄの表示時においては、リモートコントローラ２０の下キー２１２が操作されたかが判定される（Ｓ２３）。ここで、下キー２１２が操作されたと判定された場合（Ｓ２３の「YES」）、番組詳細情報重畳画面１４１Ｄから現在番組表重畳画面１４１Ｂに表示が切り替えられる（Ｓ１２）。
【００７３】
また、下キー２１２が操作されていないと判定された場合、処理は、ステップＳ２４に進められる。ステップＳ２４においては、下キー２１２を除いた他のキーが操作されたかが判定される。他のキーが操作されていないと判定された場合（Ｓ２４の「NO」）、処理は、ステップＳ２３に戻り、ステップＳ２３乃至Ｓ２４の処理が繰り返される。そして、他のキーが操作されたと判定された場合（Ｓ２４の「YES」）、表示制御装置１０では、他のキーに応じた動作が行われる（Ｓ１６）。
【００７４】
なお、ステップＳ２１において、詳細情報キーが操作されていないと判定された場合、処理は、ステップＳ２５に進められる。ステップＳ２５において、他のキーが操作されたと判定された場合（Ｓ２５の「YES」）、表示制御装置１０では、他のキーに応じた動作が行われる（Ｓ１６）。一方で、他のキーが操作されていないと判定された場合（Ｓ２５の「NO」）、処理は、ステップＳ１１に戻り、それ以降の処理が繰り返される。
【００７５】
以上、表示制御処理の流れを説明した。この表示制御処理では、表示制御部１０３によって、ユーザによるリモートコントローラ２０の操作に応じた画面の表示制御が行われることで、現在番組表重畳画面１４１Ｂと番組表画面１４１Ｃ、及び現在番組表重畳画面１４１Ｂと番組詳細情報重畳画面１４１Ｄとの間でシームレスな画面遷移が行われる。
【００７６】
ここで、図６乃至図９には、上述した表示制御処理（図５）で表示される画面の表示例を示している。
【００７７】
（現在番組表重畳画面の例）
図６は、図５のステップＳ１２の処理で表示される現在番組表重畳画面１４１Ｂの表示例を示している。
【００７８】
図６の現在番組表重畳画面１４１Ｂにおいては、表示部１０６の表示画面の全体に表示されたテレビ番組映像１５１の下側の領域（半画面）に対し、現在番組表１６１とフィルタ欄１６２が重畳して表示される。
【００７９】
図６の例において、現在番組表１６１には、他のチャンネルの番組（裏番組）に関する情報として、複数の番組に関する情報が横方向に並べて表示されている。ここで、各番組に関する情報は、例えば、サムネイル画像とタイトルや時間などの情報を含む。各番組に関する情報は、リモートコントローラ２０の左キー２１３又は右キー２１４を操作することで選択され、図６の例では、左から４つ目の情報が選択された状態を示している。
【００８０】
また、フィルタ欄１６２には、フィルタとして、お気に入り（Favorites）やドラマ（Drama）、映画（Movie）、音楽（Music）を含んでいる。図６の例では、複数のフィルタのうち、お気に入りが選択されている。なお、ここに示したフィルタは一例であり、例えば、スポーツ、サッカー、チーム名などを含めてもよい。あるいは、例えば、ユーザが先週視聴したものや、特定の人物（例えば有名人など）が視聴したものなど、様々な情報をフィルタに含めることができる。
【００８１】
なお、現在番組表１６１として、他のチャンネルの番組に関する情報のほかに、選択されたフィルタに応じた情報が表示されるようにしてもよい。例えば、図６の例では、フィルタ欄１６２において、お気に入りが選択されているため、ユーザがお気に入りに登録した番組などに関する情報を、現在番組表１６１に表示することもできる。
【００８２】
現在番組表重畳画面１４１Ｂ（図６）は、現在番組表キーが操作された場合（図５のＳ１１の「YES」）、番組表画面１４１Ｃ（図７）の表示時に上キー２１１が操作された場合（図５のＳ１９の「YES」）、又は番組詳細情報重畳画面１４１Ｄ（図９）の表示時に下キー２１２が操作された場合（図５のＳ２３の「YES」）に表示される。
【００８３】
また、現在番組表重畳画面１４１Ｂ（図６）の表示時において、下キー２１２が操作された場合（図５のＳ１３の「YES」）、番組表画面１４１Ｃ（図７）が表示され、上キー２１１が操作された場合（図５のＳ１４の「YES」）、番組詳細情報重畳画面１４１Ｄ（図９）が表示される。
【００８４】
（番組表画面の例）
図７は、図５のステップＳ１８の処理で表示される番組表画面１４１Ｃの表示例を示している。
【００８５】
図７の番組表画面１４１Ｃにおいては、表示部１０６の表示画面の全体（全画面）に番組表１７１が表示され、その上側の領域に、フィルタ欄１６２と子画面のテレビ番組映像１５１（縮小映像）が表示される。
【００８６】
図７の例において、番組表１７１には、テレビ番組の放送予定を、チャンネル（放送局）と放送時間によって表形式にまとめた情報が表示されている。ここで、各番組に関する情報は、例えば、タイトルなどの情報を含む。各番組に関する情報は、リモートコントローラ２０の十字ボタン２０２の４方向の各キーを操作することで選択される。ここで、例えば、所望の番組に関する情報が選択されて所定の操作が行われた場合には、その番組の詳細な情報が表示される（図８）。
【００８７】
また、図７の例のフィルタ欄１６２は、現在番組表重畳画面１４１Ｂ（図６）のフィルタ欄１６２に対応して設けられ、フィルタとして、お気に入り（Favorites）やドラマ（Drama）、映画（Movie）、音楽（Music）を含んでいる。図７の例では、複数のフィルタのうち、お気に入りが選択されている。このフィルタを利用することで、番組表１７１において所望のテレビ番組を絞り込むことができる。
【００８８】
図７の例においては、左上の領域に、テレビ番組映像１５１が子画面で表示されているが、この子画面表示は、現在番組表重畳画面１４１Ｂ（図６）で全画面表示されるテレビ番組映像１５１に対応している。
【００８９】
番組表画面１４１Ｃ（図７）は、番組表キーが操作された場合（図５のＳ１７の「YES」）、又は現在番組表重畳画面１４１Ｂ（図６）の表示時に下キー２１２が操作された場合（図５のＳ１３の「YES」）に表示される。また、番組表画面１４１Ｃ（図７）において、上キー２１１が操作された場合（図５のＳ１９の「YES」）、現在番組表重畳画面１４１Ｂ（図６）が表示される。
【００９０】
（番組詳細情報画面の例）
図９は、図５のステップＳ２２の処理で表示される番組詳細情報重畳画面１４１Ｄの表示例を示している。
【００９１】
図９の番組詳細情報重畳画面１４１Ｄにおいては、表示部１０６の表示画面の全体に表示されたテレビ番組映像１５１の下側の領域に重畳表示された現在番組表１６１に対し、番組詳細情報１８１が重畳して表示される。
【００９２】
図９の例において、番組詳細情報１８１は、現在番組表重畳画面１４１Ｂの現在番組表１６１の中から選択された番組の情報として、例えば、サムネイル画像やタイトル、番組内容の概要などの情報を含む。
【００９３】
番組詳細情報重畳画面１４１Ｄ（図９）は、詳細情報キーが操作された場合（図５のＳ２１の「YES」）、又は現在番組表重畳画面１４１Ｂ（図６）の表示時に上キー２１１が操作された場合（図５のＳ１４の「YES」）に表示される。また、番組詳細情報重畳画面１４１Ｄ（図９）において、下キー２１２が操作された場合（図５のＳ２３の「YES」）、現在番組表重畳画面１４１Ｂ（図６）が表示される。
【００９４】
以上のように、現在番組表重畳画面１４１Ｂ（図６）と、番組表画面１４１Ｃ（図７）又は番組詳細情報重畳画面１４１Ｄ（図９）との間の遷移がシームレスに見えるように、現在番組表重畳画面１４１Ｂ（図６）と番組表画面１４１Ｃ（図７）では、フィルタ欄１６２が共有されている。
【００９５】
また、現在番組表重畳画面１４１Ｂ（図６）と番組詳細情報重畳画面１４１Ｄ（図９）では、テレビ番組映像１５１を表示画面の全体に表示する一方で、番組表画面１４１Ｃ（図７）では、テレビ番組映像１５１を子画面で表示して、テレビ番組映像１５１を共有することで、３つの画面の遷移がシームレスに見えるようにしている。
【００９６】
さらに、番組表画面１４１Ｃ（図７）と、現在番組表重畳画面１４１Ｂ（図６）と、番組詳細情報重畳画面１４１Ｄ（図９）との間で、情報粒度と一覧性が段階的に連続して変化することで、３つの画面の遷移がシームレスに見えるようにしている。
【００９７】
これにより、現在番組表重畳画面１４１Ｂ（図６）、番組表画面１４１Ｃ（図７）、及び番組詳細情報重畳画面１４１Ｄ（図９）の異なる３つの画面（メニュー画面）を、１つの繋がった画面（メニュー画面）のように、ユーザは感じることができるため、各画面（メニュー画面）を個別に操作する場合と比べて、操作性を向上させることができる。特に、ユーザがリモートコントローラ２０を操作するに際して、十字ボタン２０２（上キー２１１、下キー２１２）の操作だけで、３つ画面の遷移が可能となる。
【００９８】
なお、従来のテレビ受像機では、テレビ番組の視聴中に表示される番組表（現在番組表）と、全画面で表示される番組表との２つのメニュー画面の間の遷移を、リモートコントローラにおける個別の機能呼び出しキーの操作を行うことで、切り替えていたため、十字ボタン操作によるカーソル移動によってシームレスに遷移することが求められていたが、本技術を適用したシームレスUIによってその要求に応えることができる。
【００９９】
すなわち、従来のテレビ受像機を使用するユーザは、リモートコントローラを見て、機能キーを探してからでないと、メニュー画面の表示を切り替える操作を行うことができないが、本技術を適用したシームレスUIでは、リモートコントローラ２０の十字ボタン２０２だけで、メニュー画面の表示を切り替えて、情報粒度と一覧性を変化させることができる。そのため、ユーザは、リモートコントローラ２０を見なくても容易に操作を行うことができる。また、本技術を適用したシームレスUIでは、メニュー画面の遷移がシームレスになるため、ユーザが、メニュー画面内で次の操作に迷う可能性を低下させることができる。
【０１００】
＜２．第２の実施の形態＞
【０１０１】
上述した第１の実施の形態では、テレビ番組の視聴時におけるシームレスUIを説明したが、シームレスUIは、テレビ番組の視聴時に限らず、例えば、インターネット経由で配信された番組、録画された番組や、記録媒体に記録された番組などのコンテンツの再生時にも適用することができる。
【０１０２】
すなわち、表示制御装置１０において、信号入力部１０１には、テレビ番組等の放送コンテンツの他に、例えば、コンテンツ配信サイトにより配信された通信コンテンツ（ネットコンテンツ）、録画機により録画された録画コンテンツや、半導体メモリ等の記録媒体に記録された記録コンテンツなども入力されるが、それらのコンテンツを再生して表示部１０６に表示する際にも、シームレスUIを適用することができる。
【０１０３】
また、ネットコンテンツ再生視聴の場合におけるシームレスUIでは、図３や図６で示した現在番組表重畳画面１４１Ｂと、現在番組表１６１に対応して、それぞれ、おすすめコンテンツ表重畳画面と、おすすめコンテンツ表が表示される。おすすめコンテンツ表には、コンテンツ配信サイトが選定したコンテンツを一列に並べ、おすすめコンテンツ表重畳画面には、当該おすすめコンテンツ表とともにフィルタ欄を表示する。なお、おすすめコンテンツ表は、ユーザ履歴や嗜好に応じたものとしてもよい。さらに、図３や図７に示した番組表画面１４１Ｃと比べて、番組表１７１、フィルタ欄１６２、及びテレビ番組映像１５１（子画面）に対応して、コンテンツ一覧、フィルタ欄、及びコンテンツ再生映像（子画面）がそれぞれ表示される。
【０１０４】
（シームレスUIの他の例）
図１０は、録画・記録コンテンツ再生視聴の場合におけるシームレスUIの例を示している。
【０１０５】
図１０は、表示制御装置１０において、表示部１０６の表示画面に、コンテンツ再生画面１４２Ａ、情報・再生操作パネル重畳画面１４２Ｂ、コンテンツ一覧画面１４２Ｃ、又はコンテンツ詳細情報重畳画面１４２Ｄが表示されている場合に、ユーザによってリモートコントローラ２０の操作として、操作ＯＰ２１乃至操作ＯＰ２７がそれぞれ行われたときの画面の遷移と表示内容の例を示している。
【０１０６】
ここでは、コンテンツ再生映像１５２を表示するコンテンツ再生画面１４２Ａの表示時に、操作ＯＰ２１として、例えば、リモートコントローラ２０を把持したユーザによって、いずれかのキーが操作された場合、情報・再生操作パネル重畳画面１４２Ｂが表示される。
【０１０７】
この情報・再生操作パネル重畳画面１４２Ｂでは、表示部１０６の表示画面の全体に表示されたコンテンツ再生映像１５２の下側の領域に対し、情報・再生操作パネル１６３が重畳して表示される。情報・再生操作パネル１６３は、再生や停止、早送り、早戻しなどの機能に対応したボタンが表示される領域である。
【０１０８】
ここで、情報・再生操作パネル重畳画面１４２Ｂの表示時において、操作ＯＰ２４として、例えば、ユーザによって、リモートコントローラ２０の下キー２１２が操作された場合、コンテンツ一覧画面１４２Ｃが表示される。
【０１０９】
このコンテンツ一覧画面１４２Ｃでは、表示部１０６の表示画面の全体にコンテンツ一覧１７６が表示され、その上側の領域にフィルタ欄１７７が表示される。また、コンテンツ一覧画面１４２Ｃでは、右上の領域に、コンテンツ再生映像１５２が子画面で表示される。
【０１１０】
コンテンツ一覧１７６は、録画又は記録されたコンテンツに関する情報を所定の表示形式で表示する領域である。フィルタ欄１７７は、フィルタに関する情報を含む領域である。
【０１１１】
ここで、コンテンツ一覧画面１４２Ｃの表示時に、操作ＯＰ２５として、例えば、ユーザによって、リモートコントローラ２０の上キー２１１が操作された場合、情報・再生操作パネル重畳画面１４２Ｂが表示される。
【０１１２】
このように、情報・再生操作パネル重畳画面１４２Ｂの表示時において、下キー２１２が操作された場合（操作ＯＰ２４）、情報・再生操作パネル重畳画面１４２Ｂからコンテンツ一覧画面１４２Ｃに遷移する。それに対し、コンテンツ一覧画面１４２Ｃの表示時において、上キー２１１が操作された場合（操作ＯＰ２５）、コンテンツ一覧画面１４２Ｃから情報・再生操作パネル重畳画面１４２Ｂに遷移する。すなわち、リモートコントローラ２０において十字ボタン２０２の上キー２１１と下キー２１２を操作することで、情報・再生操作パネル重畳画面１４２Ｂとコンテンツ一覧画面１４２Ｃとを行き来できる。
【０１１３】
なお、コンテンツ再生画面１４２Ａの表示時に、操作ＯＰ２２として、例えば、ユーザによって、リモートコントローラ２０のボタン群２０１等に割り当てられた録画リストキーが操作された場合、コンテンツ一覧画面１４２Ｃが直接表示される。
【０１１４】
一方で、情報・再生操作パネル重畳画面１４２Ｂの表示時に、操作ＯＰ２６として、例えば、ユーザによって、リモートコントローラ２０の上キー２１１が操作された場合、コンテンツ詳細情報重畳画面１４２Ｄが表示される。
【０１１５】
このコンテンツ詳細情報重畳画面１４２Ｄでは、表示部１０６の表示画面上のコンテンツ再生映像１５２に重畳表示された情報・再生操作パネル１６３に対し、コンテンツ詳細情報１８２が重畳して表示される。
【０１１６】
コンテンツ詳細情報１８２は、再生中のコンテンツに関する詳細情報である。
【０１１７】
ここで、コンテンツ詳細情報重畳画面１４２Ｄの表示時に、操作ＯＰ２７として、例えば、ユーザによって、リモートコントローラ２０の下キー２１２が操作された場合、情報・再生操作パネル重畳画面１４２Ｂが表示される。
【０１１８】
このように、情報・再生操作パネル重畳画面１４２Ｂの表示時において、上キー２１１が操作された場合（操作ＯＰ２６）、情報・再生操作パネル重畳画面１４２Ｂからコンテンツ詳細情報重畳画面１４２Ｄに遷移する。それに対し、コンテンツ詳細情報重畳画面１４２Ｄの表示時において、下キー２１２が操作された場合（操作ＯＰ２７）、コンテンツ詳細情報重畳画面１４２Ｄから情報・再生操作パネル重畳画面１４２Ｂに遷移する。
【０１１９】
なお、コンテンツ再生画面１４２Ａの表示時に、操作ＯＰ２３として、例えば、ユーザによって、リモートコントローラ２０のボタン群２０１等に割り当てられた詳細情報キーが操作された場合、コンテンツ詳細情報重畳画面１４２Ｄが直接表示される。
【０１２０】
ここで、情報・再生操作パネル重畳画面１４２Ｂにおける情報・再生操作パネル１６３と、コンテンツ一覧画面１４２Ｃにおけるコンテンツ一覧１７６と、コンテンツ詳細情報重畳画面１４２Ｄにおけるコンテンツ詳細情報１８２のそれぞれの情報粒度と一覧性をまとめると、例えば、図１１に示すようになる。
【０１２１】
すなわち、図１１において、情報の粒度としては、最も細かいのがコンテンツ詳細情報１８２の情報（詳細情報）であり、その次に細かいのが情報・再生操作パネル１６３の情報（やや細かい情報）であり、最も荒いのがコンテンツ一覧１７６の情報（荒い情報）である。また、一覧性としては、最も高いのがコンテンツ一覧１７６の情報（全画面）であり、その次に高いのが情報・再生操作パネル１６３の情報（一列）であり、最も低いのがコンテンツ詳細情報１８２の情報（１つ）である。
【０１２２】
このように、本技術を適用したシームレスUIでは、ユーザによって十字ボタン２０２の上キー２１１又は下キー２１２が操作され、情報・再生操作パネル重畳画面１４２Ｂと、コンテンツ一覧画面１４２Ｃ又はコンテンツ詳細情報重畳画面１４２Ｄとの間で、シームレスに行き来する際に、画面ごとに情報粒度と一覧性が段階的に連続して変化している。また、本技術を適用したシームレスUIでは、こられの３つの画面の状態をシームレスに見せるために（演出するために）、コンテンツ再生映像１５２等を各画面間で共有している。
【０１２３】
そして、このようなコンテンツの再生時のシームレスUIは、上述したテレビ番組の視聴時におけるシームレスUIと共通であるため、ユーザによるコンテンツの視聴形態（視聴タイプ）に関係なく、ユーザの使い勝手を共通化することができる。
【０１２４】
例えば、図１２は、コンテンツの再生時のシームレスUIのうち、コンテンツ一覧画面１４２Ｃの表示例を示している。図１２のコンテンツ一覧画面１４２Ｃにおいては、図７の番組表画面１４１Ｃと比べて、番組表１７１、フィルタ欄１６２、及びテレビ番組映像１５１（子画面）に対応して、コンテンツ一覧１７６、フィルタ欄１７７、及びコンテンツ再生映像１５２（子画面）がそれぞれ表示される。
【０１２５】
また、図１３は、シームレスUIの俯瞰イメージを示している。図１３に示すように、例えば、視聴タイプとして、テレビ放送（セットトップボックス（STB：Set Top Box）入力を含む）、録画（USB，HDD，DTCP-IP(Digital Transmission Content Protection)を含む）、USB、DLNA（登録商標）(Digital Living Network Alliance)などがある場合に、各視聴タイプ内の画面の遷移をシームレスにすることで、ユーザに対し、振る舞いが予測しやすい安心した操作性を提供することができる。また、視聴タイプごとの操作性や画面デザインを共通化することで、ユーザに対し、学習の少ない安心した操作性を提供することができる。
【０１２６】
＜３．変形例＞
【０１２７】
上述した説明において、表示制御装置１０は、テレビ受像機であるとして説明したが、それに限らず、例えば、ディスプレイ装置、パーソナルコンピュータ、タブレット端末、スマートフォン、携帯電話機、ヘッドマウンドディスプレイ、ゲーム機などの電子機器であってもよい。
【０１２８】
また、上述した説明において、表示制御装置１０は、液晶表示部やOLED表示部等の表示部１０６を含むテレビ受像機であるとして説明したが、本技術を適用した表示制御装置は、表示部を含まない構成としてもよい。
【０１２９】
（表示システムの構成）
図１４は、本技術を適用した表示システムの一実施の形態の構成の例を示すブロック図である。
【０１３０】
図１４の表示システムは、表示制御装置３０及び表示装置４０を含んで構成される。表示制御装置３０は、例えば、セットトップボックスや録画機、再生機（プレイヤ）等の電子機器である。また、表示装置４０は、例えば、ディスプレイ装置やテレビ受像機、タブレット端末、パーソナルコンピュータ等の電子機器である。表示制御装置３０と表示装置４０とは、所定の規格に準拠したインターフェースを介してケーブル等により接続される。
【０１３１】
図１４において、表示制御装置３０は、信号入力部３０１、信号処理部３０２、表示制御部３０３、操作受付部３０４、及び画面生成部３０５を含んで構成される。また、図１４において、表示装置４０は、表示部４０１を含んで構成される。
【０１３２】
図１４の信号入力部３０１乃至画面生成部３０５と表示部４０１は、図１の信号入力部１０１乃至画面生成部１０５と表示部１０６と同様に構成される。すなわち、図１４の表示システムでは、表示装置４０側の表示部４０１の表示画面に表示される映像や各種の画面などが、表示制御装置３０側の表示制御装置３０によって制御される。
【０１３３】
なお、図１４においては、表示制御装置３０と表示装置４０とが、ケーブル等の所定のインターフェースを介して接続されるとして説明したが、ここでは、有線に限らず、例えば、所定の規格に準拠した通信方式に従い、映像信号がやり取りされてもよい。また、システムとは、複数の構成要素（装置、モジュール（部品）等）の集合を意味し、すべての構成要素が同一筐体中にあるか否かは問わない。
【０１３４】
また、上述した説明では、表示制御装置１０や表示制御装置３０に対する操作が、ユーザによるリモートコントローラ２０の操作により行われるとして説明したが、それに限らず、例えば、ユーザによる発話やジェスチャ等に応じて、音声操作やジェスチャ操作等が行われるようにしてもよい。また、表示制御装置１０（又は表示制御装置３０）とリモートコントローラ２０とは、近距離無線通信や赤外線通信に限らず、他の通信方式に従って通信を行ってもよい。ここでの通信方式は、無線通信に限らず、有線通信であってもよい。
【０１３５】
＜４．コンピュータの構成＞
【０１３６】
上述した一連の処理（図５に示した表示制御処理）は、ハードウェアにより実行することもできるし、ソフトウェアにより実行することもできる。一連の処理をソフトウェアにより実行する場合には、そのソフトウェアを構成するプログラムが、各装置のコンピュータにインストールされる。図１５は、上述した一連の処理をプログラムにより実行するコンピュータのハードウェアの構成例を示すブロック図である。
【０１３７】
コンピュータ１０００において、CPU(Central Processing Unit)１００１、ROM(Read Only Memory)１００２、RAM(Random Access Memory)１００３は、バス１００４により相互に接続されている。バス１００４には、さらに、入出力インターフェース１００５が接続されている。入出力インターフェース１００５には、入力部１００６、出力部１００７、記録部１００８、通信部１００９、及び、ドライブ１０１０が接続されている。
【０１３８】
入力部１００６は、マイクロフォン、キーボード、マウスなどよりなる。出力部１００７は、スピーカ、ディスプレイなどよりなる。記録部１００８は、ハードディスクや不揮発性のメモリなどよりなる。通信部１００９は、ネットワークインターフェースなどよりなる。ドライブ１０１０は、磁気ディスク、光ディスク、光磁気ディスク、又は半導体メモリなどのリムーバブル記録媒体１０１１を駆動する。
【０１３９】
以上のように構成されるコンピュータ１０００では、CPU１００１が、ROM１００２や記録部１００８に記録されているプログラムを、入出力インターフェース１００５及びバス１００４を介して、RAM１００３にロードして実行することにより、上述した一連の処理が行われる。
【０１４０】
コンピュータ１０００（CPU１００１）が実行するプログラムは、例えば、パッケージメディア等としてのリムーバブル記録媒体１０１１に記録して提供することができる。また、プログラムは、ローカルエリアネットワーク、インターネット、デジタル衛星放送といった、有線又は無線の伝送媒体を介して提供することができる。
【０１４１】
コンピュータ１０００では、プログラムは、リムーバブル記録媒体１０１１をドライブ１０１０に装着することにより、入出力インターフェース１００５を介して、記録部１００８にインストールすることができる。また、プログラムは、有線又は無線の伝送媒体を介して、通信部１００９で受信し、記録部１００８にインストールすることができる。その他、プログラムは、ROM１００２や記録部１００８に、あらかじめインストールしておくことができる。
【０１４２】
ここで、本明細書において、コンピュータがプログラムに従って行う処理は、必ずしもフローチャートとして記載された順序に沿って時系列に行われる必要はない。すなわち、コンピュータがプログラムに従って行う処理は、並列的あるいは個別に実行される処理（例えば、並列処理あるいはオブジェクトによる処理）も含む。また、プログラムは、１のコンピュータ（プロセッサ）により処理されてもよいし、複数のコンピュータによって分散処理されてもよい。
【０１４３】
また、上述のフローチャートで説明した各ステップは、１つの装置で実行する他、複数の装置で分担して実行することができる。さらに、１つのステップに複数の処理が含まれる場合には、その１つのステップに含まれる複数の処理は、１つの装置で実行する他、複数の装置で分担して実行することができる。
【０１４４】
なお、本技術の実施の形態は、上述した実施の形態に限定されるものではなく、本技術の要旨を逸脱しない範囲において種々の変更が可能である。例えば、本技術は、１つの機能を、ネットワークを介して複数の装置で分担、共同して処理するクラウドコンピューティングの構成をとることができる。
【０１４５】
また、本技術は、以下のような構成をとることができる。
【０１４６】
（１）
表示画面における第１の領域に、フィルタに関するフィルタ情報と、前記コンテンツに関する第１の情報を表示し、
ユーザにより第１の操作が行われた場合、前記表示画面における前記第１の領域よりも大きい第２の領域に、前記フィルタ情報と、前記コンテンツに関する第２の情報を表示する
制御を行う表示制御部を備える
表示制御装置。
（２）
前記第１の情報は、前記フィルタに応じたコンテンツに関する情報を含み、
前記第２の情報は、前記フィルタに応じたコンテンツに関する情報を含む
前記（１）に記載の表示制御装置。
（３）
前記表示制御部は、
前記第１の領域における上側の領域に前記第１の情報を表示するとともに下側の領域に前記フィルタ情報を表示し、
前記第１の操作として下方向に応じた操作が行われた場合、前記第１の領域に表示される前記フィルタ情報と前記第１の情報から、前記第２の領域に表示される前記フィルタ情報と前記第２の情報に、表示を切り替える
前記（１）又は（２）に記載の表示制御装置。
（４）
前記表示制御部は、前記表示画面に表示されるコンテンツの映像の一部に対応した前記第１の領域に、前記フィルタ情報と前記第１の情報を重畳して表示する
前記（３）に記載の表示制御装置。
（５）
前記表示制御部は、前記第２の領域に、前記フィルタ情報と前記第２の情報とともに、コンテンツの映像を縮小した縮小映像を表示する
前記（３）に記載の表示制御装置。
（６）
前記第２の情報は、前記第１の情報と比べて、情報粒度が荒い情報である
前記（１）乃至（５）のいずれかに記載の表示制御装置。
（７）
前記第２の情報は、前記第１の情報と比べて、一覧性の高い情報である
前記（１）乃至（６）のいずれかに記載の表示制御装置。
（８）
前記表示制御部は、
前記第２の領域における上側の領域に前記フィルタ情報を表示するとともに下側の領域に前記第２の情報を表示し、
前記ユーザにより前記第１の操作と異なる第２の操作として上方向に応じた操作が行われた場合、前記第２の領域に表示される前記フィルタ情報と前記第２の情報から、前記第１の領域に表示される前記フィルタ情報と前記第１の情報に、表示を切り替える
前記（３）に記載の表示制御装置。
（９）
前記表示制御部は、前記ユーザにより前記第１の操作と異なる第２の操作が行われた場合、前記第１の領域及び前記第２の領域と異なる第３の領域に、前記第１の情報に応じたコンテンツに関する第３の情報を表示する
前記（１）乃至（８）のいずれかに記載の表示制御装置。
（１０）
前記表示制御部は、前記第２の操作として上方向に応じた操作が行われた場合、前記第１の領域に表示される前記第１の情報の少なくとも一部に、前記第３の領域に表示される前記第３の情報を重畳して表示する
前記（９）に記載の表示制御装置。
（１１）
前記第３の情報は、前記第１の情報及び前記第２の情報と比べて、情報粒度が細かい情報である
前記（９）又は（１０）に記載の表示制御装置。
（１２）
前記第３の情報は、前記第１の情報及び前記第２の情報と比べて、一覧性の低い情報である
前記（９）乃至（１１）のいずれかに記載の表示制御装置。
（１３）
前記表示制御部は、前記第１の操作として下方向に応じた操作が行われた場合、前記第３の領域に表示される前記第３の情報から、前記第１の領域に表示される前記フィルタ情報と前記第１の情報に、表示を切り替える
前記（１０）に記載の表示制御装置。
（１４）
前記第１の領域は、前記表示画面の全領域の略半分程度の下側の領域であり、
前記第２の領域は、前記表示画面の全領域に対応する領域であり、
前記表示制御部は、前記第１の領域に表示される前記フィルタ情報と前記第２の領域に表示される前記フィルタ情報とを、前記第１の領域に表示される前記第１の情報と前記第２の領域に表示される前記第２の情報とが関連性を有することを示す位置に表示する
前記（１）乃至（１３）のいずれかに記載の表示制御装置。
（１５）
前記第１の情報は、複数の前記フィルタの中から選択された選択フィルタに応じたコンテンツに関する情報を含み、
前記第２の情報は、前記選択フィルタに応じたコンテンツに関する情報を含む
前記（１）乃至（１４）のいずれかに記載の表示制御装置。
（１６）
前記第３の情報は、前記第１の情報に応じた複数のコンテンツの中から選択された選択コンテンツに関する情報を含む
前記（９）乃至（１３）のいずれかに記載の表示制御装置。
（１７）
前記第１の操作及び前記第２の操作は、リモートコントローラに設けられた十字ボタンに対する操作である
前記（８）乃至（１０）、及び（１３）のいずれかに記載の表示制御装置。
（１８）
前記コンテンツは、放送コンテンツを含み、
前記表示画面を有する表示部をさらに備えるテレビ受像機として構成される
前記（１）乃至（１７）のいずれかに記載の表示制御装置。
（１９）
表示制御装置が、
表示画面における第１の領域に、フィルタに関するフィルタ情報と、前記コンテンツに関する第１の情報を表示し、
ユーザにより第１の操作が行われた場合、前記表示画面における前記第１の領域よりも大きい第２の領域に、前記フィルタ情報と、前記コンテンツに関する第２の情報を表示する
表示制御方法。
（２０）
コンピュータを、
表示画面における第１の領域に、フィルタに関するフィルタ情報と、前記コンテンツに関する第１の情報を表示し、
ユーザにより第１の操作が行われた場合、前記表示画面における前記第１の領域よりも大きい第２の領域に、前記フィルタ情報と、前記コンテンツに関する第２の情報を表示する
制御を行う表示制御部として機能させるためのプログラム。
【符号の説明】
【０１４７】
１０  表示制御装置，  ２０  リモートコントローラ，  ３０  表示制御装置，  ４０  表示装置，  １０１  信号入力部，  １０２  信号処理部，  １０３  表示制御部，  １０４  操作受付部，  １０５  画面生成部，  １０６  表示部，  ３０１  信号入力部，  ３０２  信号処理部，  ３０３  表示制御部，  ３０４  操作受付部，  ３０５  画面生成部，  ４０１  表示部，  １０００  コンピュータ，  １００１  CPU
【図１】
2020090514.tif 000003
【図２】
2020090514.tif 000004
【図３】
2020090514.tif 000005
【図４】
2020090514.tif 000006
【図５】
2020090514.tif 000007
【図６】
2020090514.tif 000008
【図７】
2020090514.tif 000009
【図８】
2020090514.tif 000010
【図９】
2020090514.tif 000011
【図１０】
2020090514.tif 000012
【図１１】
2020090514.tif 000013
【図１２】
2020090514.tif 000014
【図１３】
2020090514.tif 000015
【図１４】
2020090514.tif 000016
【図１５】
2020090514.tif 000017
【国際調査報告】
2020090514.tif 000018
2020090514.tif 000019
2020090514.tif 000020
2020090514.tif 000021